(57)【特許請求の範囲】
【請求項１】
アスコルビン酸又はその塩とともにヒドロキシルアミン塩及び／又は亜二チオン酸塩を存在させた、試料中の測定対象物質の測定試薬。
【請求項２】
ヒドロキシルアミン塩が塩酸ヒドロキシルアミンである、請求項１に記載の測定試薬。
【請求項３】
亜二チオン酸塩が亜二チオン酸ナトリウムである、請求項１又は請求項２に記載の測定試薬。
【請求項４】
ヒドロキシルアミン塩及び／又は亜二チオン酸塩が、アスコルビン酸又はその塩の安定化のために含有されたものである、請求項１〜請求項３に記載の測定試薬。
【請求項５】
アスコルビン酸又はその塩とともにヒドロキシルアミン塩及び／又は亜二チオン酸塩を存在させた溶液を還元剤溶液として用いる、試料中の測定対象物質の測定試薬。
【請求項６】
ヒドロキシルアミン塩が塩酸ヒドロキシルアミンである、請求項５に記載の測定試薬。
【請求項７】
亜二チオン酸塩が亜二チオン酸ナトリウムである、請求項５又は請求項６に記載の測定試薬。
【請求項８】
測定対象物質が鉄、不飽和鉄結合能又は銅である、請求項５〜請求項７のいずれか一項に記載の測定試薬。
【発明の詳細な説明】
【０００１】
【発明の属する技術分野】
本発明は、溶液状態のアスコルビン酸又はその塩を安定化させる方法、安定化されたアスコルビン酸を含有する溶液、及びこの溶液を還元剤溶液として使用する試料中の測定対象物質の測定試薬に関する。
本発明は、特に、化学、生命科学、分析化学及び臨床検査等の分野において有用なものである。
【０００２】
【従来の技術】
アスコルビン酸、即ちビタミンＣは、抗壊血病活性を持つ水溶性ビタミンで抗壊血病因子である。このアスコルビン酸は、人の体内では合成できないため、通常は野菜や果物等から摂取している。また、アスコルビン酸は、ビタミン類の中では最も大量に必要とされるもので、その所要量は１日５０ｍｇとされており、古くから医薬品として使用されている。また、最近では健康志向により、栄養補助食品や飲料にアスコルビン酸を使用したり、アスコルビン酸の強い還元力を利用した酸化防止剤や鮮度保持剤として食品に添加されることも多い。
【０００３】
また、このアスコルビン酸は、臨床検査の分野においては、試料中の鉄、不飽和鉄結合能又は銅等の測定における還元剤等として広く使用されている。
【０００４】
鉄は、人体内に約４．２ｇ存在しており、これらの鉄はその約２／３が赤血球内の血色素鉄として存在し、残りの約１／３が貯蔵鉄として、肝臓、脾臓、骨髄等の組織に存在する。血清中の鉄は、ごく微量（３〜４ｍｇ）であり、そのほとんど全てが、β１−グロブリンに属するトランスフェリンと結合して存在している。このトランスフェリンの１分子には、２分子の鉄イオンが結合できる。トランスフェリンの約１／３が鉄によって飽和されており、残りの約２／３は鉄が結合していない不飽和の状態で存在している。この鉄が結合していない不飽和のトランスフェリンに結合することのできる鉄量を不飽和鉄結合能（以下、ＵＩＢＣと略す。）と呼び、血清鉄とＵＩＢＣの和を総鉄結合能（以下、ＴＩＢＣと略す。）と呼んでおり、「ＴＩＢＣ＝血清鉄＋ＵＩＢＣ」という関係が成り立っている。これら血清鉄、ＵＩＢＣ及びＴＩＢＣは、臨床面において鉄欠乏性貧血、鉄芽球性貧血、再生不良性貧血、真性多血症、ヘモクロマトーシス等の血液疾患、急性肝炎、慢性肝炎、肝硬変症等の肝疾患、慢性炎症・感染症等の各種疾患と関係があり、その測定は臨床上極めて重要とされている。
【０００５】
現在、鉄の測定方法として広く使用されている方法は、キレート発色剤と鉄とを結合させて、このキレート発色剤が鉄と結合することにより生じる吸収スペクトルの変化、色調の変化などを吸光度を測ることにより測定する方法である。
また、ＵＩＢＣの測定方法として広く用いられている方法は、血清にあらかじめ既知過剰量の鉄を添加してトランスフェリンを鉄で飽和させた後、トランスフェリンに結合せずに残存した鉄とキレート発色剤とを結合させて、このキレート発色剤が鉄と結合することにより生じる吸収スペクトルの変化、色調の変化などを吸光度を測ることにより測定し、これを添加した鉄量から差し引くことによりＵＩＢＣを測定する方法である。
ここで使用されるキレート発色剤は、そのほとんどが三価の鉄とは反応しないため、還元剤を用いて三価の鉄を二価の鉄に還元する必要がある。
【０００６】
また、銅は、人体内に約１００〜１５０ｍｇ存在しており、血清中の銅は、その約９５％がα２−グロブリンに属するセルロプラスミンに結合し、残りの数％がアルブミン等のアミノ酸に結合した形で存在している。血清銅とセルロプラスミン濃度との間には、高い相関関係があることが分かっており、セルロプラスミンの欠損によるウィルソン病の診断に用いられている。また、閉塞性黄疸、原発性胆汁性肝硬変、急性肝炎、白血病、多発性骨髄腫、悪性腫瘍、メンケス病等の各種疾患とも関係があり、その測定は臨床上極めて重要とされている。
【０００７】
現在、銅の測定方法として広く使用されている方法は、血清中のセルロプラスミンに結合していた二価の銅を還元剤により一価の銅にすることにより遊離させ、この一価の銅とキレート発色剤とを結合させて、このキレート発色剤が一価の銅と結合することにより生じる吸収スペクトルの変化、色調の変化などを吸光度を測ることにより測定する方法である。
【０００８】
上記の鉄、ＵＩＢＣ又は銅の測定において、使用される還元剤としては、チオグリコール酸、アスコルビン酸又はその塩、ピロ亜硫酸塩、塩酸ヒドロキシルアミン等が知られており、悪臭が無いことや、十分な還元力を持つという理由から、アスコルビン酸又はその塩が最も広く使用されている。
【０００９】
また、最近の臨床検査においては、より一層の簡便化を図るために、従来の凍結乾燥品の試薬から液状試薬へと試薬形態の変更が行われている。
しかしながら、現在還元剤として使用されているアスコルビン酸又はその塩は、粉末状態では比較的安定しているが、酸化されやすく溶液状態での安定性が極めて悪いため、溶液状態で長期間保存するのは困難であり、更に還元されやすいキレート発色剤との共存下での安定化は極めて困難であった。これらの理由から、アスコルビン酸又はその塩を還元剤として用いている、鉄、ＵＩＢＣ又は銅を測定するための試薬は、その性能を長期間維持することが困難であった。
【００１０】
この溶液状態でのアスコルビン酸又はその塩を安定化する方法として、従来より、メタリン酸を使用する方法、縮合リン酸塩類を使用する方法、環状トリメタリン酸塩を使用する方法（特開昭５６−１５６２７２号公報）や、アスコルビン酸誘導体と酵素を使用する方法（特開昭６２−３２３６４号公報）等が提案されているが、その効果が必ずしも十分ではなかったり、又はコストがかかるものであった。
更に、最近、溶液状態でのアスコルビン酸又はその塩を安定化する方法として、ピロ亜硫酸塩を使用する方法（特開平６−２４７８５５号公報）が提案されている。しかしながら、このピロ亜硫酸塩は、アスコルビン酸又はその塩の安定化効果は十分であるが、近傍の試薬に悪影響を及ぼすことが最近言われ始めてきている。すなわち、試薬に含まれるアスコルビン酸又はその塩の安定化剤としてのピロ亜硫酸塩が気化し、その近傍の試薬に溶け込むことにより、ペルオキシダーゼによる発色反応の遅延又は阻害が生じ、測定に用いることができなくなるということが言われている。
【００１１】
【発明が解決しようとする課題】
前記のように、アスコルビン酸又はその塩は、酸化されやすく溶液状態での安定性が極めて悪いため、溶液状態で長期間保存するのは困難であり、更にアスコルビン酸又はその塩を還元剤として使用した試薬の場合、還元されやすいキレート発色剤との共存下でのアスコルビン酸又はその塩の安定化は極めて困難であり、試薬としての性能を長期間維持することが困難であった。
また、従来よりアスコルビン酸又はその塩の安定化剤として用いられてきたものの中には、近傍の試薬に溶け込むことにより、ペルオキシダーゼ発色反応の遅延又は阻害が生じ、測定に用いることができなくなってしまうものもあった。
よって、本発明の課題は、溶液状態でのアスコルビン酸又はその塩を安定化させる方法と、安定化されたアスコルビン酸又はその塩を含有する溶液、及びこの溶液を還元剤溶液として使用した試料中の鉄、ＵＩＢＣ又は銅の測定試薬を提供することである。
【００１２】
【課題を解決するための手段】
本発明者らは、上記の問題点の解決を目指して鋭意検討を行った結果、アスコルビン酸又はその塩を含有する溶液にヒドロキシルアミン塩及び／又は亜二チオン酸塩を存在させた場合に、溶液状態のアスコルビン酸又はその塩を安定化できることを見出し、本発明を完成するに至った。
【００１３】
すなわち本発明は、アスコルビン酸又はその塩を含有する溶液にヒドロキシルアミン塩及び／又は亜二チオン酸塩を存在させる、溶液状態のアスコルビン酸又はその塩の安定化方法である。
【００１４】
また本発明は、アスコルビン酸又はその塩とともにヒドロキシルアミン塩及び／又は亜二チオン酸塩を存在させた溶液である。
また、本発明の溶液においては、ヒドロキシルアミン塩及び／又は亜二チオン酸塩が、アスコルビン酸又はその塩の安定化のために含有されたものであることが好ましい。
また、本発明の溶液においては、この溶液が試料中の測定対象物質の測定試薬であることが好ましい。
【００１５】
更に、本発明は、アスコルビン酸又はその塩とともにヒドロキシルアミン塩及び／又は亜二チオン酸塩を存在させた溶液を還元剤溶液として用いる、試料中の測定対象物質の測定試薬である。
また、本発明の測定試薬においては、測定対象物質が鉄、不飽和鉄結合能又は銅であることが好ましい。
【００１６】
また、本発明の安定化方法、溶液、及び測定試薬においては、ヒドロキシルアミン塩が塩酸ヒドロキシルアミンであり、及び／又は亜二チオン酸塩が亜二チオン酸ナトリウムであることが好ましい。
【００１７】
【発明の実施の形態】
〔１〕アスコルビン酸又はその塩を含有する溶液
本発明においては、アスコルビン酸又はその塩を含有する溶液にヒドロキシルアミン塩及び／又は亜二チオン酸塩を存在させることにより、溶液状態のアスコルビン酸又はその塩を安定化することができる。
【００１８】
（１）ヒドロキシルアミン塩
本発明に用いられるヒドロキシルアミンの塩としては、例えば、塩酸塩、硫酸塩、硝酸塩等を挙げることができる。このようなヒドロキシルアミン塩の例としては、塩酸ヒドロキシルアミン、硫酸ヒドロキシルアミン、硝酸ヒドロキシルアミン等を挙げることができる。
本発明においては、塩酸ヒドロキシルアミンを用いることが好ましい。
また、ヒドロキシルアミン塩の濃度は、溶液に含有するアスコルビン酸又はその塩の濃度等によって最適濃度は異なるが、０．１〜１００ｍＭの範囲にあることが好ましく、２〜５０ｍＭの範囲が特に好ましい。
【００１９】
（２）亜二チオン酸塩
本発明に用いられる亜二チオン酸の塩としては、例えば、リチウム、カリウム、ナトリウム等のアルカリ金属塩、マグネシウム、カルシウム等のアルカリ土類金属塩、アンモニウム塩等を挙げることができる。このような亜二チオン酸塩の例としては、亜二チオン酸リチウム、亜二チオン酸カリウム、亜二チオン酸ナトリウム、亜二チオン酸マグネシウム、亜二チオン酸カルシウム等を挙げることができる。
本発明においては、亜二チオン酸ナトリウムを用いることが好ましい。
また、亜二チオン酸塩の濃度は、溶液に含有するアスコルビン酸又はその塩の濃度等によって最適濃度は異なるが、０．１〜１００ｍＭの範囲にあることが好ましく、２〜５０ｍＭの範囲が特に好ましい。
【００２０】
（２）溶液のｐＨ
本発明のアスコルビン酸又はその塩を含有する溶液のｐＨは、ｐＨ２〜８の範囲が好ましく、ｐＨ２〜５の範囲が特に好ましい。
また、前記のｐＨ範囲となるように用いる緩衝液としては、前記のｐＨ範囲に緩衝能がある従来公知の緩衝液を適宜使用することができる。例えば、トリス緩衝液、モノエタノールアミン緩衝液、ホウ酸緩衝液、リン酸緩衝液、酢酸緩衝液、又は水酸化ナトリウム緩衝液等の緩衝液を挙げることができる。
【００２１】
（３）その他の構成成分
本発明のアスコルビン酸又はその塩を含有する溶液中には、ヒドロキシルアミン塩及び／又は亜二チオン酸塩の他に、公知の防腐剤、界面活性剤等を必要に応じて適宜含有させることができる。
なお、本発明において、溶液状態でのアスコルビン酸又はその塩を安定化するためには、アスコルビン酸又はその塩を含有する溶液に、ヒドロキシルアミン塩及び／又は亜二チオン酸塩を存在させるだけでよく、それ以外の操作は特に必要ない。
【００２２】
（４）試料中の測定対象物質の測定試薬
本発明のアスコルビン酸又はその塩を含有する溶液は、試料中の測定対象物質の測定試薬であってもよい。
この測定試薬においても、アスコルビン酸又はその塩とともにヒドロキシルアミン塩及び／又は亜二チオン酸塩を存在させればよい。
【００２３】
〔２〕還元剤溶液を用いる試料中の測定対象物質の測定試薬
本発明の試料中の測定対象物質の測定試薬においては、還元剤として使用されるアスコルビン酸又はその塩の安定化のために、アスコルビン酸又はその塩を含有する還元剤溶液中にヒドロキシルアミン塩及び／又は亜二チオン酸塩を存在させる。
ここで、ヒドロキシルアミン塩の濃度としては、アスコルビン酸又はその塩の濃度等によって最適濃度は異なるが、還元剤溶液中において、０．１〜１００ｍＭの範囲にあることが好ましく、２〜５０ｍＭの範囲が特に好ましい。
また、亜二チオン酸塩の濃度としては、アスコルビン酸又はその塩の濃度等によって最適濃度は異なるが、還元剤溶液中において、０．１〜１００ｍＭの範囲にあることが好ましく、２〜５０ｍＭの範囲が特に好ましい。
【００２４】
更に、本発明の試料中の測定対象物質の測定試薬においては、アスコルビン酸又はその塩を含有する還元剤溶液中に、ヒドロキシルアミン塩及び／又は亜二チオン酸塩を存在させる以外は、従来より公知の試料中の測定対象物質を測定する試薬に従えばよい。
例えば、適当な緩衝液にアスコルビン酸又はその塩、並びにヒドロキシルアミン塩及び／又は亜二チオン酸塩を添加するとともに、防腐剤、界面活性剤等を必要に応じて適宜添加して還元剤溶液を調製する。
また、この本発明の試料中の測定対象物質の測定試薬においては、測定対象物質が鉄、不飽和鉄結合能、又は銅である場合に好適である。
例えば、試料中の鉄の測定においては、前記還元剤溶液と試料とを混合し、更にキレート発色剤を含有する試薬を添加した後、キレート発色剤と鉄とを結合させて、このキレート発色剤が鉄と結合することにより生じる吸収スペクトルの変化、色調の変化などを吸光度を測ることにより測定することができる。
また、測定は、レートアッセイ法及びエンドポイント法のいずれの方法でも行うことができる。
なお、この本発明の試料中の測定対象物質の測定試薬は、１試薬系で構成してもよく、又は２試薬系等の多試薬系で構成してもよく、用手法でも自動分析装置を用いた測定にも使用できる。
【００２５】
また、これまでにヒドロキシルアミン塩及び／又は亜二チオン酸塩が鉄、不飽和鉄結合能等の測定試薬における還元剤として用いられた例はあるが、このヒドロキシルアミン塩及び／又は亜二チオン酸塩が、アスコルビン酸又はその塩を含有する溶液を還元剤溶液として用いる鉄、不飽和鉄結合能等の測定試薬において、この還元剤溶液の安定化に寄与するということは、全く意外なことであった。
【００２６】
【実施例】
以下、本発明を実施例により具体的に説明するが、本発明はこの実施例により限定されるものではない。
【００２７】
〔実施例１〕
（亜二チオン酸ナトリウムによるアスコルビン酸含有溶液の安定化効果の確認）亜二チオン酸ナトリウムをアスコルビン酸含有溶液に存在させた場合の溶液状態のアスコルビン酸の安定化効果を確かめた。
【００２８】
（１）アスコルビン酸含有溶液の調製
下記の試薬成分をそれぞれ記載の濃度になるように純水に溶解し、ｐＨを４．８（２０℃）に調整し、亜二チオン酸ナトリウム濃度が異なる５種類のアスコルビン酸含有溶液を調製した。
【００２９】
アスコルビン酸  ４．５ｍＭ
亜二チオン酸ナトリウム
０ｍＭ、０．３６ｍＭ、０．７２ｍＭ、１．４４ｍＭ、又は２．８７ｍＭ
コハク酸  ２００ｍＭ
【００３０】
（２）アスコルビン酸含有溶液の保存
上記（１）で調製した５種類のアスコルビン酸含有溶液を２５℃で３０日間保存した。
【００３１】
（２）アスコルビン酸の測定
保存開始時及び保存１日後、２日後、３日後、８日後、１５日後、２２日後、並びに３０日後に、５種類のアスコルビン酸含有溶液の各々のアスコルビン酸の吸光度を測定した。
アスコルビン酸の測定は、前記アスコルビン酸含有溶液を０．１Ｎ塩酸で４１倍希釈し、２４２ｎｍにおける吸光度を測定することにより行った。
【００３２】
（３）測定結果
アスコルビン酸の測定結果を表１に示した。
【００３３】
【表１】
0004224563.tif 000002
【００３４】
表１から明らかなように、アスコルビン酸含有溶液に亜二チオン酸ナトリウムを存在させていないもの（０ｍＭ）は、保存日数の経過に従ってアスコルビン酸の吸光度が低下しており、保存開始時のアスコルビン酸の吸光度を１００％とした場合に、保存３日後で３９．４％に、保存８日後では、４．７％にまで低下していることが分かる。また、保存２２日後以降では、吸光度が極めて低値となったので、測定不能と判断して以降の測定を打ち切った。
これに対して、亜二チオン酸ナトリウムをアスコルビン酸含有溶液に存在させたものはいずれも、保存３日後では保存開始時と比べて殆ど変化しておらず、保存８日後でも、残存アスコルビン酸の吸光度は約９０％であった。また、亜二チオン酸ナトリウム濃度が０．３６ｍＭ、０．７２ｍＭ、１．４４ｍＭ、２．８７ｍＭの場合の残存アスコルビン酸の吸光度は、保存１５日後では、各々７１．１％、８１．５％、８６．９％、８６．０％となっており、保存２２日後でも各々４２．４％、６０．０％、７９．８％、８０．８％となっている。更に、亜二チオン酸ナトリウム濃度が１．４４ｍＭ、２．８７ｍＭの場合は、保存３０日後でも残存アスコルビン酸の吸光度は、各々６２．８％、７３．７％となっており、亜二チオン酸ナトリウムを存在させない場合に比べて残存率が著しく向上していることが分かる。
このように、アスコルビン酸含有溶液に亜二チオン酸ナトリウムを存在させることにより、溶液状態のアスコルビン酸を安定化できることが分かる。
【００３５】
〔実施例２〕
（塩酸ヒドロキシルアミンによるアスコルビン酸含有溶液の安定化効果の確認）
塩酸ヒドロキシルアミンをアスコルビン酸含有溶液に存在させた場合の溶液状態のアスコルビン酸の安定化効果を確かめた。
【００３６】
（１）アスコルビン酸含有溶液の調製
下記の試薬成分をそれぞれ記載の濃度になるように純水に溶解し、ｐＨを３．７（２０℃）に調整し、塩酸ヒドロキシルアミン濃度が異なる３種類のアスコルビン酸含有溶液を調製した。
【００３７】
アスコルビン酸  ４．５ｍＭ
塩酸ヒドロキシルアミン
２ｍＭ、８ｍＭ、又は１６ｍＭ
酢酸緩衝液  １００ｍＭ
【００３８】
（２）アスコルビン酸含有溶液の保存
上記（１）で調製した３種類のアスコルビン酸含有溶液を１０℃及び２５℃で１８０日間保存した。
【００３９】
（３）アスコルビン酸の測定
保存開始時及び保存３０日後、１２０日後、１８０日後に、３種類のアスコルビン酸含有溶液の各々のアスコルビン酸の吸光度を実施例１と同様の方法で測定した。
【００４０】
（４）測定結果
アスコルビン酸の吸光度の測定結果を表２に示した。
【００４１】
【表２】
0004224563.tif 000003
【００４２】
実施例１で示したように、安定化剤を存在させていない溶液状態のアスコルビン酸は、保存日数の経過に従って、アスコルビン酸の吸光度が低下しており、２５℃での保存３日後で３９．４％に、保存８日後では、４．７％にまで低下してしまう。
これに対して、表２から明らかなように、塩酸ヒドロキシルアミンをアスコルビン酸含有溶液に存在させたものを１０℃で保存した場合にはいずれも、保存３０日後でも、保存開始時と比べて殆ど変化していない。更に、保存１２０日後でも、塩酸ヒドロキシルアミン濃度が２ｍＭ、８ｍＭ、１６ｍＭの場合の残存アスコルビン酸の吸光度は各々７１．１％、７１．５％、７５．８％となっており、保存１８０日後での残存アスコルビン酸の吸光度は各々５８．７％、６６．７％、６６．９％であり、塩酸ヒドロキシルアミン濃度の増加に従って残存率が向上していることが分かる。
また、２５℃で保存した場合は、保存３０日後でも、塩酸ヒドロキシルアミン濃度が２ｍＭ、８ｍＭ、１６ｍＭの場合の残存アスコルビン酸の吸光度は各々７５．２％、７５．６％、７１．０％となっている。更に、塩酸ヒドロキシルアミン濃度が８ｍＭ及び１６ｍＭの場合の残存アスコルビン酸の吸光度は、保存１２０日後でも各々２７．６％、３８．７％となっており、また、塩酸ヒドロキシルアミン濃度が１６ｍＭの場合には、保存１８０日後でも、残存アスコルビン酸の吸光度は２１．８％となっており、これよりも、塩酸ヒドロキシルアミン濃度の増加に従って残存率が向上していることが分かる。
このように、アスコルビン酸含有溶液に塩酸ヒドロキシルアミンを存在させることにより、溶液状態のアスコルビン酸を安定化できることが分かる。
【００４３】
〔実施例３〕
（試料中の鉄の測定）
試料中の鉄の測定において、アスコルビン酸とともに塩酸ヒドロキシルアミンを存在させた溶液を還元剤溶液として使用して試料中の鉄を測定した。
【００４４】
（１）試薬の調製
▲１▼アスコルビン酸含有溶液〔還元剤溶液〕（鉄測定用第１試薬）の調製
下記の試薬成分をそれぞれ記載の濃度になるように純水に溶解し、ｐＨを３．７（２０℃）に調整し、塩酸ヒドロキシルアミン濃度が異なる５種類のアスコルビン酸含有溶液（鉄測定用第１試薬）を調製した。
【００４５】
アスコルビン酸  １３ｍＭ
塩酸ヒドロキシルアミン  ０ｍＭ、０．８ｍＭ、１．６ｍＭ、８ｍＭ、又は１６ｍＭ
酢酸緩衝液  １００ｍＭ
【００４６】
▲２▼鉄測定用第２試薬の調製
下記の試薬成分をそれぞれ記載の濃度になるように純水に溶解し、ｐＨ８．０（２０℃）に調整し、鉄測定用第２試薬を調製した。
【００４７】
２−ニトロソ−５−（Ｎ−プロピル−Ｎ−スルホプロピルアミノ）−フェノール  ０．５ｍＭ
トリス（ヒドロキシメチル）アミノメタン  ５００ｍＭ
【００４８】
（２）試料の作製
▲１▼トランスフェリン添加試料〔試料１〕
プール血清に、鉄として約２００μｇ／ｄＬ相当量のトランスフェリンを添加し、トランスフェリン添加試料とした。
▲２▼血清試料〔試料２〕
【００４９】
（３）試料中の鉄の測定
前記（２）で作製した２種類の試料中の鉄を、前記（１）で調製した鉄測定用第１試薬及び鉄測定用第２試薬にて測定した。
【００５０】
鉄の測定は、日立製作所社製７１７０形自動分析装置にて行い、試料２０μＬを鉄測定用第１試薬２００μＬに添加して、混和後３７℃で５分間反応させた後、鉄測定用第２試薬８０μＬを添加し、３７℃で５分間反応させた。主波長６００ｎｍ及び副波長７５０ｎｍにおける吸光度を測定した。また、試料の代わりに２００μｇ／ｄＬの鉄標準液を用いて同様に測定を行い、純水を試料とした時の吸光度を試薬盲検値として鉄の値を求めた。
【００５１】
（４）測定結果
鉄の測定結果を表３に示した。
【００５２】
【表３】
0004224563.tif 000004
【００５３】
表３から明らかなように、塩酸ヒドロキシルアミンを存在させたアスコルビン酸含有溶液を還元剤溶液として使用して試料中の鉄を測定した場合と、塩酸ヒドロキシルアミン無添加（０ｍＭ）の場合とを比較すると、測定値に差は見られないことが分かる。
このことにより、塩酸ヒドロキシルアミンを測定系に添加しても、試料中の鉄の測定値に影響を与えないことが確かめられた。
【００５４】
〔実施例４〕
（ペルオキシダーゼ発色系試薬への影響）
ピロ亜硫酸カリウム含有試薬、塩酸ヒドロキシルアミン含有試薬、又は亜二チオン酸ナトリウム含有試薬を各々近傍に置いた場合の尿酸測定試薬の発色反応への影響を確認した。
【００５５】
（１）試薬の調製
▲１▼本発明・塩酸ヒドロキシルアミン含有試薬の調製
下記の試薬成分をそれぞれ記載の濃度になるように純水に溶解し、ｐＨを３．７（２０℃）に調製した。
【００５６】
アスコルビン酸  １３ｍＭ
塩酸ヒドロキシルアミン  ８ｍＭ
酢酸緩衝液  １００ｍＭ
【００５７】
▲２▼本発明・亜二チオン酸ナトリウム含有試薬の調製
前記▲１▼の本発明・塩酸ヒドロキシルアミン含有試薬の塩酸ヒドロキシルアミンを亜二チオン酸ナトリウムに変えること以外は、前記▲１▼の試薬成分及び濃度で本発明・亜二チオン酸ナトリウム含有試薬の調製を行った。
【００５８】
▲３▼対照・ピロ亜硫酸カリウム含有試薬の調製
前記▲１▼の本発明・塩酸ヒドロキシルアミン含有試薬の塩酸ヒドロキシルアミンをピロ亜硫酸カリウムに変えること以外は、前記▲１▼の試薬成分及び濃度で対照・ピロ亜硫酸カリウム含有試薬の調製を行った。
【００５９】
▲４▼尿酸測定用第１試薬の調製
下記の試薬成分をそれぞれ記載の濃度になるように純水に溶解し、ｐＨ７．０（２０℃）に調整し、尿酸測定用第１試薬を調製した。
【００６０】
３−（Ｎ−モルホリノ）プロパンスルホン酸［ＭＯＰＳ］  ５０ｍＭ
Ｎ−エチル−Ｎ−（２−ヒドロキシ−３−スルホプロピル）−ｍ−トルイジンナトリウム［ＴＯＯＳ］  ２．３ｍＭ
ペルオキシダーゼ（西洋ワサビ由来）  １，０００Ｕ／Ｌ
アスコルビン酸オキシダーゼ  １，５００Ｕ／Ｌ
【００６１】
▲３▼尿酸測定用第２試薬の調製
下記の試薬成分をそれぞれ記載の濃度になるように純水に溶解し、ｐＨ７．０（２０℃）に調整し、尿酸測定用第２試薬を調製した。
【００６２】
３−（Ｎ−モルホリノ）プロパンスルホン酸［ＭＯＰＳ］  ５０ｍＭ
４−アミノアンチピリン  １．５ｍＭ
ウリカーゼ  ８００Ｕ／Ｌ
【００６３】
（２）試薬の保存
上記（１）で調製した、本発明・塩酸ヒドロキシルアミン含有試薬、本発明・亜二チオン酸ナトリウム含有試薬、対照・ピロ亜硫酸カリウム含有試薬、尿酸測定用第１試薬を、図１のようにそれぞれ試験管（容量１０ｍＬ、長さ１０５ｍｍ、内径１３ｍｍ）に充填し、下記の組み合わせでビニール袋（１３５ｍｍ×８５ｍｍ；チャック付き）に入れ、チャックを閉めて密封し、４℃の冷蔵庫内にて２日間保存した。なお、各試験管の口に栓はしなかった。
ａ）本発明・塩酸ヒドロキシルアミン含有試薬及び尿酸測定用第１試薬
ｂ）本発明・亜二チオン酸ナトリウム含有試薬及び尿酸測定用第１試薬
ｃ）対照・ピロ亜硫酸カリウム含有試薬及び尿酸測定用第１試薬
【００６４】
（３）保存した試薬の安定性の確認
保存２日後の前記ａ）、ｂ）及びｃ）の尿酸測定用第１試薬並びに前記（１）で調製した尿酸測定用第２試薬にて、試料中の尿酸を測定した。
また、比較例として、前記（２）の操作を行っていない尿酸測定用第１試薬及び尿酸測定用第２試薬を用いて同様に試料中の尿酸を測定した。
【００６５】
試料中の尿酸の測定は、日立製作所社製７１５０形自動分析装置にて行い、１５ｍｇ／ｄＬの尿酸標準液５μＬを試料として、尿酸測定用第１試薬３２０μＬに添加して、混和後３７℃で５分間反応させた後、尿酸測定用第２試薬８０μＬを添加し、３７℃で５分間反応させた。主波長６００ｎｍ及び副波長７００ｎｍにおける吸光度を測定した。
【００６６】
（４）測定結果
尿酸の測定結果を表４に示した。
【００６７】
【表４】
0004224563.tif 000005
【００６８】
表４から明らかなように、対照・ピロ亜硫酸カリウム含有試薬を近傍に置いて保存したｃ）の尿酸測定用第１試薬を使用して試料中の尿酸を測定したものでは、比較例の尿酸標準液の測定値（吸光度）を１００％とした場合、その測定値（吸光度）は１６．８％にまで低下してしまっていることが分かる。
これに対して、本発明・塩酸ヒドロキシルアミン含有試薬を近傍に置いて保存したａ）の尿酸測定用第１試薬を使用して試料中の尿酸を測定したものでは、尿酸標準液の測定値（吸光度）に変化は見られていない。また、本発明・亜二チオン酸ナトリウム含有試薬を近傍に置いて保存したｂ）の尿酸測定用第１試薬を使用して試料中の尿酸を測定したものでも、４９．７％までの低下にとどまっている。
このことにより、ピロ亜硫酸カリウムを存在させたアスコルビン酸含有試薬は、ペルオキシダーゼ発色反応に影響を与えていることが分かる。これに対して、塩酸ヒドロキシルアミン又は亜二チオン酸ナトリウムを存在させたアスコルビン酸含有試薬は、ペルオキシダーゼ発色系試薬の近傍に置いて測定を行っても、ペルオキシダーゼ発色反応に影響を与えず、正確な尿酸測定値を得られることが確かめられた。
【００６９】
【発明の効果】
本発明はいずれも、アスコルビン酸又はその塩を含有する溶液に塩酸ヒドロキシルアミン及び／又は亜二チオン酸ナトリウムを存在させることにより、溶液状態でのアスコルビン酸又はその塩を長期間安定化することができるものである。また、本発明の安定化されたアスコルビン酸含有溶液を試料中の測定対象物質の測定試薬として用いることにより、試料中の測定対象物質を正確に測定することができるものである。
また、本発明の安定化されたアスコルビン酸含有溶液、又は本発明の試料中の測定対象物質の測定試薬をペルオキシダーゼ発色系試薬の近傍に置いた場合でも、ペルオキシダーゼ発色反応に影響を与えず、このペルオキシダーゼ発色系試薬において正確な測定を行うことができるものである。
そして、これらにより、疾患の診断等の場において、誤差を含まない、かつ正確な測定対象物質の測定値を提供することができるものである。
【図面の簡単な説明】
【図１】ペルオキシダーゼ発色系試薬への影響確認のための試薬の保存方法を示した図である。
【図１】
0004224563.tif 000006